(57)【要約】【課題】傾斜の方向と角度を自在に設定可能なゴルフ練習用可変傾斜台を簡素かつ安価に提供する。【解決手段】傾斜の方向と角度（θ）を自在に設定可能なゴルフ練習用可変傾斜台（１００）であって、最下層の基台（１０）と、そこに設定された縦軸（Ｚ）と、縦軸部材（６２）に揺動自在に係合して最上層をなす上板（３０）と、縦軸（Ｚ）に対して回転自在であり上板（３０）と基台（１０）の間に介在して中層をなすターンテーブル（２０）と、それに回転力を付与し、かつ任意の回転位相（α）で停止可能なモータ（４９）と、ターンテーブル（２０）の上面（２９）と上板（３０）の下面（３９）との間の隙間（Ｇ）を広狭自在に変動させるカム機構（９９）と、を備え、そのカム機構（９９）は、ターンテーブル（２０）の直径（Ｄ１）の一端（２１）で隙間（Ｇ）を広げると共に他端（２２）で隙間（Ｇ）を狭める関係である。【選択図】図１
2019080764.tif 000002
【特許請求の範囲】
【請求項１】
傾斜の方向と角度を自在に設定可能なゴルフ練習用可変傾斜台であって、
最下層の基台と、
該基台に設定された縦軸と、
該縦軸に揺動自在に係合して最上層をなす上板と、
前記縦軸に対して回転自在であり前記上板と前記基台の間に介在して中層をなすターンテーブルと、
前記ターンテーブルに回転力を付与すると共に任意の回転位相で停止可能なモータと、
前記ターンテーブルの上面と前記上板の下面との間の隙間を広狭自在に変動させるカム機構と、
を備え、
前記カム機構は、前記ターンテーブルの直径の一端で前記隙間を広げると共に他端で前記隙間を狭める関係に形成された、
ゴルフ練習用可変傾斜台。
【請求項２】
前記カム機構は、
前記縦軸を中心とする第１同心円に沿って前記上板の下面に形成され、前記隙間の広狭を変動させる形状のカム面を有するカム体と、
前記カム面を転動して隙間を広狭自在に変動させるカム車輪と、
前記縦軸を中心とする第２同心円に沿って形成され、前記カム面以外の平面を転動する少なくとも一対の非カム車輪と、
を備え、
前記カム車輪は第１同心円に内接する二等辺三角形の頂角と底角とにそれぞれ配設され、
前記二等辺三角形の底辺における中点から前記頂角までを結ぶ中線と第１直径とを一致させ、
該第１直径に直交する第２直径を設定し、
前記非カム車輪は前記第２同心円と前記第２直径との交点に対をなして配設された、
請求項１に記載のゴルフ練習用可変傾斜台。
【請求項３】
前記第１同心円は前記ターンテーブルの外周に近く、その内周側に前記第２同心円が設定され、
前記カム車輪は前記ターンテーブルの上面に配設された、
請求項２に記載のゴルフ練習用可変傾斜台。
【請求項４】
前記カム体は、台形の凸部と逆台形の凹部が前記第１同心円に沿って連続的かつ交互に形成されている、
請求項２又は３に記載のゴルフ練習用可変傾斜台。
【請求項５】
前記凸部と前記凹部とは、前記縦軸の直交方向から視認した輪郭の形状が上下対称である、
請求項４に記載のゴルフ練習用可変傾斜台。
【請求項６】
前記ターンテーブルは、前記モータから減速機構を介して回転力を付与され、
該減速機構は、前記縦軸を中心とする第３同心円上に刻設された従動歯車と、
該従動歯車に歯合する駆動歯車と、
該駆動歯車まで前記モータの動力を伝送する駆動軸と、
を少なくとも備えて構成された、
請求項１〜５の何れかに記載のゴルフ練習用可変傾斜台。
【請求項７】
前記上板の上面には、人工芝が貼着され、該人工芝には、格子目状の交点、千鳥状の交点、等間隔の同心円に放射状の交差線が交わる交点、の何れかの位置に複数のゴルフボールに対する転動防止凹部が設けられた、
請求項１〜６の何れかに記載のゴルフ練習用可変傾斜台。
【請求項８】
前記基台付近、又は前記上板の上面に前記モータのコントローラを配設し、ＡＣ１００Ｖ電源を得て前記モータの駆動を制御可能にした、
請求項１〜７の何れかに記載のゴルフ練習用可変傾斜台。
【発明の詳細な説明】
【技術分野】
【０００１】
本発明は、傾斜の方向と角度を自在に設定可能なゴルフ練習用可変傾斜台に関する。
【背景技術】
【０００２】
一般的な屋内ゴルフ練習場は、設備コストの制約から平坦地しか設定されていない。しかし、ほとんどのゴルフ場には、緩斜面がコース内に設定されているので、緩斜面での練習も必要である。そこで、引用文献に開示されているように、例えば、高さを制御可能な油圧ジャッキのような支承装置により、傾斜の方向と角度を自在に設定可能なゴルフ練習用可変傾斜台が実用化されている。一例として、特許文献１において、任意の傾斜方向に任意の傾斜角度で傾斜面を簡単に形成することができ、しかも、傾斜板自身は回転変移することがないようにした可変傾斜台が開示されている。
【先行技術文献】
【特許文献】
【０００３】
【特許文献１】特開平７−２３６７２０号公報
【発明の概要】
【発明が解決しようとする課題】
【０００４】
しかしながら、何れの装置も複雑かつ大掛かりな機械設備であるため、家庭用はおろか、業務用としてさえも適宜安直に導入することは困難であるいう問題があった。そのため、広く一般的に普及させるためには、より簡素かつ安価なものが要望されていた。
【０００５】
本発明は、上記課題に鑑みてなされたものであり、その目的とするところは、傾斜の方向と角度を自在に設定可能なゴルフ練習用可変傾斜台を簡素かつ安価に提供することにある。
【課題を解決するための手段】
【０００６】
本発明の一態様は、傾斜の方向と角度（θ）を自在に設定可能なゴルフ練習用可変傾斜台（１００）であって、
最下層の基台（１０）と、
該基台（１０）に設定された縦軸（Ｚ）と、
該縦軸（Ｚ）に揺動自在に係合して最上層をなす上板（３０）と、
前記縦軸（Ｚ）に対して回転自在であり前記上板（３０）と前記基台（１０）の間に介在して中層をなすターンテーブル（２０）と、
前記ターンテーブル（２０）に回転力を付与すると共に任意の回転位相（α）で停止可能なモータ（４９）と、
前記ターンテーブル（２０）の上面（２９）と前記上板（３０）の下面（３９）との間の隙間（Ｇ）を広狭自在に変動させるカム機構（９９）とを備え、
前記カム機構（９９）は、前記ターンテーブル（２０）の直径（Ｄ１）の一端（２１）で前記隙間（Ｇ）を広げると共に他端（２２）で前記隙間（Ｇ）を狭める関係に形成されたものである。
【０００７】
また、本発明の一態様において、前記カム機構（９９）は、
前記縦軸（Ｚ）を中心とする第１同心円（Ｅ）に沿って前記上板（３０）の下面（３９）に形成され、前記隙間（Ｇ）の広狭を変動させる形状のカム面（９１〜９３）を有するカム体（９０）と、
前記カム面（９１〜９３）を転動して隙間（Ｇ）を広狭自在に変動させるカム車輪（２４〜２６）と、
前記縦軸（Ｚ）を中心とする第２同心円（Ｆ）に沿って形成され、前記カム面（９１〜９３）以外の平面（３９）を転動する少なくとも一対の非カム車輪（２７，２８）とを備え、
前記カム車輪（２４〜２６）は第１同心円（Ｅ）に内接する二等辺三角形（Ｊ）の頂角（Ｋ）と底角（Ｌ，Ｍ）とにそれぞれ配設され、
前記二等辺三角形（Ｊ）の底辺（Ｎ）における中点（Ｍ）から前記頂角（Ｋ）までを結ぶ中線（Ｈ）と第１直径（Ｄ１）とを一致させ、
該第１直径（Ｄ１）に直交する第２直径（Ｄ２）を設定し、
前記非カム車輪（２７，２８）は前記第２同心円（Ｆ）と前記第２直径（Ｄ２）との交点に対をなして配設されたものである。
【０００８】
また、本発明の一態様において、前記第１同心円（Ｅ）は前記ターンテーブル（２０）の外周に近く、その内周側に前記第２同心円（Ｆ）が設定され、前記カム車輪（２４〜２６）は前記ターンテーブル（２０）の上面（２９）に配設されたものである。
【０００９】
また、本発明の一態様において、前記カム体（９０）は、台形の凸部（３１〜３８）と逆台形の凹部（５１〜５８）が前記第１同心円（Ｅ）に沿って連続的かつ交互に形成されものである。
【００１０】
また、本発明の一態様において、前記凸部（３１〜３８）と前記凹部（５１〜５８）とは、前記縦軸（Ｚ）の直交方向から視認した輪郭の形状が上下対称である。
【００１１】
また、本発明の一態様において、前記ターンテーブル（２０）は、前記モータ（４９）から減速機構（４０）を介して回転力を付与され、
該減速機構（４０）は、前記縦軸（Ｚ）を中心とする第３同心円（Ｒ）上に刻設された従動歯車（４１）と、
該従動歯車（４１）に歯合する駆動歯車（４２）と、
該駆動歯車（４２）まで前記モータ（４９）の動力を伝送する駆動軸（４３）と、を少なくとも備えて構成されたものである。
【００１２】
また、本発明の一態様において、前記上板（３０）の上面には、人工芝（５９）が貼着され、該人工芝（５９）には、格子目状の交点（５０）、千鳥状の交点、等間隔の同心円に放射状の交差線が交わる交点、の何れかの位置に複数のゴルフボール（１１）に対する転動防止凹部（５０）が設けられたものである。
【００１３】
また、本発明の一態様において、前記基台（１０）付近、又は前記上板（３０）の上面に前記モータ（４９）のコントローラ（４８）を配設し、ＡＣ１００Ｖ電源を得て前記モータ（４９）の駆動を制御可能にしたものである。
【発明の効果】
【００１４】
以上説明したように、本発明によれば、傾斜の方向と角度を自在に設定可能なゴルフ練習用可変傾斜台を簡素かつ安価に提供することができる。
【図面の簡単な説明】
【００１５】
【図１】本発明の一実施形態に係るゴルフ練習用可変傾斜台（以下、「本傾斜台」ともいう）の外観を示す斜視図であり、図１（Ａ）は要部を透視した透視平面図、図１（Ｂ）は正面図である。
【図２】本傾斜台のターンテーブルを説明するための平面図である。
【図３】本傾斜台のカム機構の動作を説明するための模式平面図である。
【図４】本傾斜台の上板を説明するための平面図である。
【発明を実施するための形態】
【００１６】
以下、本発明の好適な実施の形態について詳細に説明する。なお、以下に説明する本実施形態は、特許請求の範囲に記載された本発明の内容を不当に限定するものではなく、本実施形態で説明される構成の全てが本発明の解決手段として必須であるとは限らない。
【００１７】
図１は、本発明の一実施形態に係るゴルフ練習用可変傾斜台（本傾斜台）の外観を示す斜視図であり、図１（Ａ）は要部を透視した透視平面図、図１（Ｂ）は正面図である。図１（Ａ）に示すように、平面視認して概ね正方形の上板３０は、図４を用いて後述するように、人工芝５９を貼着してゴルフコースの緩斜面を模擬するように構成されている。
【００１８】
図１（Ｂ）に示すように本傾斜台１００は、傾斜の方向とその傾斜角度（以下、「揺動角度」ともいう）θを自在に設定可能な台であり、ゴルフを練習する人が乗ってゴルフボールを打つための台として相応の頑丈さを備えた構造である。その頑丈な構造として、本傾斜台１００の上板３０は、揺動自在でありながら、傾斜角度θを設定した後は、ゴルフスウィングした人の体重の数倍に及ぶ押し下げ荷重が偏在して加えられるので、それに対抗できるように構成されている。
【００１９】
また、本傾斜台１００は、ゴルフコースの緩斜面を模擬するものであり、人が乗ってゴルフボールを打つ最中は揺動を止めて使用するが、人が乗ってその静止体重だけ負荷され状態であっても傾斜の方向とその傾斜角度を変更させることが可能である。なお、本傾斜台１００に人が乗っていない無負荷状態で傾斜角度θを変更させる操作をしても構わない。揺動角度θは、水平面に対して１０度以内まで考慮するが、６度以内の設定で実用に足りるので、本傾斜台１００は、一例として、傾斜角度θを最大６度に設定している。
【００２０】
図１（Ｂ）に示すように、本傾斜台１００は、縦軸Ｚを中心にして、下から上へと、基台１０、ターンテーブル２０、及び上板３０の順に３層構造である。基台１０は、最下層の構造部材であり、地面等に据え置き状態での使用に耐える構造として、図で例示するような曲げ加工、補強材を有した金属材が適するが、それらに限定するものでなく、不図示の鉄パイプによるフレーム等でも良い。基台１０にはターンテーブル２０を回転させるモータ４９も配設されている。また、ターンテーブル２０の上面２９と、上板３０の下面３９によりカム機構９９が構成されている。カム機構９９は、ターンテーブル２０の回転に伴って、上板３０を傾斜させるための機構であり、詳細については後述する。
【００２１】
縦軸Ｚは、基台１０の平面視認した中心部から鉛直に立設されている。上板３０は、本傾斜台１００の最上層を形成し、人が立って運動できる平板であり、その平板を平面視認した中心部の裏側、すなわち下面の中心部が、柔軟性を有する継手等を介して縦軸Ｚの上端に対し、揺動自在に係合されている。一例として、ドーム状の軸部材６２の頂点Ｏを上板３０の下面３９の中心Ｏ（同一符号）に当接させ、それらの合わせ位置から、ずれや外れを防止できるように不図示のワイヤー等により結合しても良い。あるいは、図示を省略するが、上板３０の下面３９と基台１０を、それぞれの中心Ｏを介して揺動自在となるように、両者の間を自在継手により係合しても良い。
【００２２】
図１（Ａ）で上方から透視して示し、図１（Ｂ）で正面から視認して示すように、ターンテーブル２０は、上板３０と基台１０の間に介在して配設され、本傾斜台１００の中層を形成している。このターンテーブル２０は、基台１０中心に立設された縦軸Ｚに回転自在に軸支されているものと仮想して回転動作を説明する。カム機構９９は、ターンテーブル２０の上面２９と上板３０の下面３９との隙間Ｇに形成され、隙間Ｇを広狭自在に変動させるように構成されている。
【００２３】
このカム機構９９は、ターンテーブル２０の直径Ｄ１の一端２１で隙間Ｇを広げると他端２２で隙間Ｇを狭める関係に形成されている。カム機構９９は、ターンテーブル２０の上層である上板３０の下面３９に、凹凸の少なくとも何れかを台形に形成されたカム面９１〜９３を有する。このカム面９１〜９３は、縦軸Ｚを中心とする同心円上に形成され、ターンテーブル２０の回転に伴って、隙間Ｇの広狭を変動させる形状である。なお、カム面９１〜９３はゴム製である。
【００２４】
ターンテーブル２０の外周の近くに第１同心円Ｅが設定されている。その内周側に第２同心円Ｆが設定されている。また、第３同心円Ｒはターンテーブル２０の内周に近く、第２同心円Ｆの内周側に設定されている。３個のカム車輪（以下、「第１カム車輪」、「第２カム車輪」、「カム車輪」又は単に「車輪」ともいう）２４〜２６がターンテーブル２０の上面２９に配設され、上板３０の下面３９に形成されたカム面９１〜９３を転動しながら上板３０を支承するようにカム機構９９が構成されている。また、このカム機構９９には、上板３０の下面３９におけるカム面９１〜９３以外の平面だけを転動するため、上板３０に対して、昇降作用させることなく支承する２個の非カム車輪（以下、単に「車輪」ともいう）２７，２８も配設されている。
【００２５】
３個のカム車輪２４〜２６のうち、第１カム車輪２４（図１（Ｂ）で３時、図２で１２時の位置）と、第２カム車輪２５，２６（図１（Ｂ）で９時近辺、図２で６時近辺の位置）とは、反対の昇降動作するように構成されている。図１に示すように、第１カム車輪２４に対し第２カム車輪２５，２６は反対の昇降動作をする。その昇降動作に対して、ヒンジの機能を果たす一対の非カム車輪２７，２８によって、上板３０の水平高さが安定維持される。
【００２６】
図２は、本傾斜台のターンテーブルを説明するための平面図である。図２に示すように、ターンテーブル２０は回転自在であるならば、必ずしも縦軸Ｚに軸支されている必要はない。ここでは。一例として、中空の円盤形状にターンテーブル２０が形成され、中心軸Ｚに代えた不図示のガイドにより外周が摺動自在に支承されることにより、実質上の回転軸を形成している。
【００２７】
モータ４９は、ターンテーブル２０に回転力を付与すると共に任意の回転位相α（図３）で停止可能である。不図示の１００Ｖ電源により駆動するので一般家庭でも使用可能である。モータ４９の制御については、説明を省略するが、適宜に電源ＯＮして駆動し、ＯＦＦすれば停止する。モータ４９のＯＮ−ＯＦＦスイッチについては、図４を用いて後述する。
【００２８】
ターンテーブル２０は、モータ４９から減速機構４０を介して回転力を付与される。減速機構４０は、従動歯車４１と、駆動歯車４２と、駆動軸４３と、を少なくとも備えて動力伝達するものである。なお、減速機構４０は必ずしも歯車装置である必要はなく、小さなゴムタイヤでターンテーブル２０の上面２９を回転駆動しても良い。
【００２９】
一例として、従動歯車４１は、ターンテーブル２０の上面２９において、縦軸Ｚを中心とする内周側に近い第３同心円Ｒに沿って刻設されている。その従動歯車４１に歯合可能な駆動歯車４２として、一般的なピニオンギヤを用いても良い。また、ターンテーブル２０は中空の円盤であるため、その中空部分にモータ４９が位置付けられ、その回転軸はターンテーブル２０の直径方向に延在して駆動軸４３を形成している。
【００３０】
ターンテーブル２０とモータ４９とは、それぞれの回転軸が直交する関係であるため、減速機構４０は、減速条件に加えて軸直交の条件を満足するならば、例えば、傘歯車等でも構わない。また、軸直交の構成でなくとも、例えば、ウォームギア等により構成することも可能である。なお、減速機構４０にウォームギアを採用した場合は、ブレーキを省略することも可能である。
【００３１】
駆動軸４３の先端には一体回転するように駆動歯車４２が固設されている。駆動歯車４２は、従動歯車４１に歯合して、モータ４９の動力を駆動軸４３から伝送される。なお、ターンテーブル２０及びモータ４９等の回転系に大きな慣性があるならば、相応のブレーキを必要とするので、その場合は、電源ＯＮによりブレーキ解除し、ＯＦＦすればロックするように構成すれば良い。
【００３２】
図１及び図２に示すように、カム機構９９は、カム体９０と、３個の第１カム車輪２４〜２６と、２個の非カム車輪２７，２８と、より主要構成されている。カム体９０は、縦軸Ｚを中心とする第１同心円Ｅに沿って形成され、隙間Ｇの広狭を変動させる形状のカム面９１〜９３を有する。３個の第１カム車輪２４〜２６は、カム面９１〜９３を転動して隙間Ｇを広狭自在に変動させる。一対の非カム車輪２７，２８は、縦軸Ｚを中心とする第２同心円Ｆに沿って形成され、カム面９１〜９３以外の平面３９を転動する。なお、カム体９０は、例えば厚さ１０ｍｍのゴム板を厚さ方向に積層して構成すると好結果が得られている。
【００３３】
ここで、図２に示す第１同心円Ｅと、第２同心円Ｆと、第１直径Ｄ１と、第２直径Ｄ２と、二等辺三角形Ｊと、３個の第１カム車輪２４〜２６と、２個の非カム車輪２７，２８と、の関係について説明する。第１同心円Ｅはターンテーブル２０の外周に近く、その内周側に第２同心円Ｆが設定されている。第３同心円Ｒはターンテーブル２０の内周に近く、第２同心円Ｆの内周側に設定されている。なお、第１同心円Ｅ上に２個の非カム車輪２７，２８を配し、第２同心円Ｆ上に３個のカム車輪２４〜２６を配するように、構成を逆にしても、動作に支障はない。
【００３４】
３個の第１カム車輪２４〜２６は、第１同心円Ｅに内接する二等辺三角形Ｊの頂角Ｋと底角Ｌ，Ｍとにそれぞれ配設されている。その二等辺三角形Ｊの底辺Ｎにおける中点Ｍから頂角Ｋまでを結ぶ中線Ｈに、第１直径Ｄ１が一致している。この第１直径Ｄ１に直交する第２直径Ｄ２が設定されている。非カム車輪２７，２８は、この第２直径Ｄ２と第２同心円Ｆとの交点に、対をなして配設されている。
【００３５】
図３は、本傾斜台のカム機構の動作を説明するための模式平面図である。図１〜図３を用いて、カム機構９９について、より詳しく説明する。図１を用いて上述したように、本傾斜台１００における上板３０の下面３９には、カム体９０を形成する台形の凸部３１〜３８が第１同心円Ｅに沿って、等間隔に８個並べて配設されている。また、図３に示すように、時計回りに等間隔に並べて配設された８個の凸部３１〜３８それぞれの位置を特定する。８個の凸部３１〜３８それぞれの間隔には凹部５１〜５８が形成されている。
【００３６】
これらは、凸部３１、凹部５１、凸部３２、凹部５２、凸部３３、凹部５３、凸部３４、凹部５４、凸部３５、凹部５５、凸部３６、凹部５６、凸部３７、凹部５７、凸部３８、凹部５８、の順に、時計の文字盤を形成するように配設されている。上述のように、カム体９０は上板３０の下面３９に、台形の凸部３１〜３８、及び逆台形の凹部５１〜５８が、第１同心円Ｅに沿って連続的かつ交互に敷設されることにより構成されている。また、凸部３１〜３８と凹部５１〜５８とは、縦軸Ｚの直交方向から視認した輪郭の形状が上下対称である。
【００３７】
これら凸部３１〜３８及び凹部５１〜５８に対し、第１カム車輪２４が時計の指針のように回転動作する。第１カム車輪２４がカム体９０のカム面９１〜９３に乗り上げると、隙間Ｇを広狭自在に変動させるように構成されている。すなわち、第１カム車輪２４が、凸部３１、凹部５１、・・・、凸部３８、凹部５８、の順に転動することにより、広かった隙間Ｇが狭くなった後に再び広がるように変動する。
【００３８】
図１及び図２を用いて上述したように、カム機構９９は、ターンテーブル２０の上面２９と上板３０の下面３９との隙間Ｇに形成されている。このカム機構９９は、さらに、ターンテーブル２０の第１直径Ｄ１の一端２１で隙間Ｇを広げると他端２２で隙間Ｇを狭める関係に形成されている。
【００３９】
カム機構９９は、ターンテーブル２０の上層である上板３０の下面３９に、凸部３１〜３８と凹部５１〜５８のそれぞれを台形の斜面によって形成されたカム面９１〜９３を有する。このカム面９１〜９３は、縦軸Ｚを中心とする第１同心円Ｅに沿って形成されている。カム機構９９は、第１カム車輪２４が、ターンテーブル２０の回転に伴って、カム面９１〜９３転動することにより、隙間Ｇの広狭を変動させるように動作する。
【００４０】
また、第１カム車輪２４に対し第２カム車輪２５，２６は反対の昇降動作をする。その昇降動作に対して、ヒンジの機能を果たす一対の非カム車輪２７，２８によって、上板３０の水平高さが安定維持される。その結果、第１カム車輪２４の当接する上板３０の下面３９が上昇し、第２カム車輪２５，２６の当接する上板３０の下面３９が下降する。
【００４１】
第１カム車輪２４が位置付けられる回転位相αは、モータ４９の駆動、停止を適切に制御することによって、ターンテーブル２０を任意に設定して停止させれば良い。その結果、傾斜の方向と角度θを自在に設定可能なゴルフ練習用可変傾斜台１００を簡素かつ安価に提供することができる。また、傾斜角度θについては、カム面９１，９３が形成する斜面の途中に、第１カム車輪２４及び第２カム車輪２５，２６が当接するような回転位相αでターンテーブル２０を停止させれば良い。ターンテーブル２０を停止させるために、適宜かつ任意に作動する不図示のブレーキが、回転系の何れかの位置に配設されている。回転系とは、モータ４９、減速機構４０、及びターンテーブル２０等をいう。
【００４２】
図４は、本傾斜台の上板を説明するための平面図である。図４に示すように、コントローラ４８が、基台１０付近、又は上板３０の隅に配設されており、ＡＣ１００Ｖ電源を得てモータ４９の駆動を制御可能にした。本傾斜台１００は、ＡＣ１００Ｖ電源を利用できるので、一般家庭用にも好適である。一方、業務用の三相交流２００Ｖが供給される環境、あるいは、海外に設置する場合は現地の電源環境に本傾斜台１００を適応させて使用できるように設計変更することは、当業者であれば容易なことである。
【００４３】
また、図４に示すように、本傾斜台１００の上板３０には、長さ３〜３０ｍｍ程度の人工芝５９が貼着されている。この人工芝５９は、部分的に格子目が描かれており、その格子目状の交点５０の位置には、それぞれ転動防止凹部５０（同一符号）が設けられている。
【００４４】
この転動防止凹部５０にゴルフボール１１を置けば、上板３０を傾斜させても、その上板３０から転げ落ちる不具合を防止できるので、ゴルフの練習には好都合である。図４には、格子目状の交点５０を例示したが、格子目に限定することなく、図示を省略するが、千鳥状の交点、等間隔の同心円に放射状の交差線が交わる交点、の何れを採用しても良い。
【００４５】
基台１０又は上板３０の隅に配設されたコントローラ４８は、モータ４９を右転・左転の方向を区別しながらＯＮ−ＯＦＦ制御するための押しボタンが、目立つデザインで配列されている。コントローラ４８の一例として、「左」の文字が記載されたボタンと、「右」の文字が記載されたボタンと、を並べて配設されている。なお、実際の文字配列は、図４において上下逆転させて、利用者の便宜を図っている。また、「左」、「右」の文字表記に代えて、回転方向を示す矢印を表記しても良い。
【００４６】
図１〜図３を用いて説明したように、第１カム車輪２４が上板３０の外周近辺における特定の縁を持ち上げる一方で、第２カム車輪２５，２６は上板３０の外周近辺における反対側の縁を下げる。その結果、上板３０は特定方向に傾斜する。ここで、「右」の押しボタンを押している間は、ターンテーブル２０の時計回りの回転に伴って第１カム車輪２４が移動するので、その真上で持ち上げられる特定の縁も連動して移動する。
【００４７】
つぎに、「右」の押しボタンから押圧力を解除するとモータ４９によるターンテーブル２０の右転動作が停止し、第１カム車輪２４、及び第２カム車輪２５，２６による上板３０の傾斜方向及び傾斜角度θも固定される。このとは、ターンテーブル２０及びモータ４９等の回転系に対し、自動的にブレーキが作動してロックされる。これらの動作は、「左」の押しボタンについても同様であり、ターンテーブル２０に右転動作と停止の操作を実行させる。
【００４８】
また、傾斜角度θを加減するためには、カム面９１，９３が形成する斜面の途中に、第１カム車輪２４及び第２カム車輪２５，２６が当接するような回転位相αでターンテーブル２０を停止させれば良い。それを実現するには、「左」、「右」何れか任意の押しボタンに対し、適宜に押圧と、押圧解除と、を繰り返して適切に微調整すれば良い。なお、コントローラ４８の変形例として、「左」、「右」の押しボタンに代えて、「ＯＮ」、「ＯＦＦ」の押しボタンで構成しても良い。その場合、モータ４９の回転方向を一方向のみとし、モータ４９を右転・左転の方向を逆転せずにＯＮ−ＯＦＦ制御するのみでも良い。
【００４９】
これら「左」、「右」の押しボタンは、用途に適するように、人のつま先、又は人が把持するゴルフクラブの先端等で軽く押圧するだけで反応することが好ましい。なお、図４に示すコントローラ４８は、基台１０付近と上板３０とのどちら側に固定されているか明確に区別していないが、どちら側でも良い。もし、基台１０の隅に固定されているならば、上板３０との干渉を避けるように構成すれば良い。
【００５０】
また、上板３０の角部には、人工芝５９が貼着されていない領域として、方形のボール留め枠１９が設定されている。このボール留め枠１９は、例えば、長さ１０ｍｍの人工芝により、周囲を囲まれているため、上板３０を傾斜させても、その上板３０から転げ落ちる不具合を防止できる。練習者は、練習メニューに応じた数のボールをボール留め枠１９に置いてから、上板３０に乗れば、ゴルフクラブのヘッド部で適宜にボール１１を引き寄せて用いることができるので便利である。
【００５１】
以上説明したように、本発明の一実施形態に係るゴルフ練習用可変傾斜台１００は、ＡＣ１００Ｖの低電力で駆動される１つのモータ４９及び減速機構４０により回転駆動されるターンテーブル２０と、そのターンテーブル２０の上面２９と上板３０の下面３９との間の隙間Ｇを広狭自在に変動させるカム機構９９と、よりなる簡素な構成で、傾斜の方向と角度を自在に設定可能である。
【産業上の利用可能性】
【００５２】
本発明の一実施形態に係るゴルフ練習用可変傾斜台は、ＡＣ１００Ｖの１モータで駆動可能である等、簡素かつ安価で所望の機能を備え、使用環境が限定されない仕様であるため、初心者からプロゴルファーまで幅広いゴルフ愛好家に利用可能である。したがって一般家庭、ゴルフ練習場、クラブハウス、遊園地、及びゲームセンター等に採用される可能性がある。
【００５３】
なお、上記のように本発明の各実施形態及び各実施例について詳細に説明したが、本発明の新規事項及び効果から実体的に逸脱しない多くの変形が可能であることは、当業者には、容易に理解できるであろう。従って、このような変形例は、全て本発明の範囲に含まれるものとする。例えば、明細書又は図面において、少なくとも一度、より広義又は同義な異なる用語と共に記載された用語は、明細書又は図面のいかなる箇所においても、その異なる用語に置き換えることができる。また、モータ、減速機構、カム機構の構成、動作も本発明の各実施形態及び各実施例で説明したものに限定されず、種々の変形実施が可能である。
【符号の説明】
【００５４】
１０  基台、１１  ゴルフボール、１９  ボール留め枠、２０  ターンテーブル、２１  （第１直径Ｄ１の）一端、２２  （第２直径Ｄ２の）他端、２４  （カム動作して上板３０を支承する）第１カム車輪、２５，２６  （カム動作して上板３０を支承する）第２カム車輪、２７，２８  （カム動作しないで上板３０を支承する）非カム車輪、２９  （ターンテーブル２０の）上面、３０  上板、３１〜３８  凸部、３９  （上板３０の）下面、４８  のコントローラ、４９  モータ、４０  減速機構、４１  従動歯車、４２  駆動歯車、４３  駆動軸、４８  コントローラ、５０  転動防止凹部、５１〜５８  凹部、５９  人工芝、６２  （ドーム状の）軸部材、Ｏ  （軸部材の）頂点、Ｏ  （同一符号）中心、９０  カム体、９１〜９３  カム面、９９  カム機構、１００  ゴルフ練習用可変傾斜台（本傾斜台）、Ｄ１  第１直径、Ｄ２  第２直径、Ｅ  第１同心円、Ｆ  第２同心円、Ｇ  （ターンテーブル２０の上面２９と上板３０の下面３９との）隙間、Ｒ  第３同心円、Ｚ  縦軸、α  回転位相、θ  揺動角度
【図１】
2019080764.tif 000003
【図２】
2019080764.tif 000004
【図３】
2019080764.tif 000005
【図４】
2019080764.tif 000006
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
傾斜の方向と角度を自在に設定可能なゴルフ練習用可変傾斜台であって、
最下層の基台と、
該基台に設定された縦軸と、
該縦軸に揺動自在に係合して最上層をなす上板と、
前記縦軸に対して回転自在であり前記上板と前記基台の間に介在して中層をなすターンテーブルと、
前記ターンテーブルに回転力を付与すると共に任意の回転位相で停止可能なモータと、
前記ターンテーブルの上面と前記上板の下面との間の隙間を広狭自在に変動させるカム機構と、
を備え、
前記カム機構は、前記ターンテーブルの直径の一端で前記隙間を広げると共に他端で前記隙間を狭める関係に形成され、
前記カム機構は、
前記縦軸を中心とする第１同心円に沿って前記上板の下面に形成され、前記隙間の広狭を変動させる形状のカム面を有するカム体と、
前記カム面を転動して隙間を広狭自在に変動させるカム車輪と、
前記縦軸を中心とする第２同心円に沿って形成され、前記カム面以外の平面を転動する少なくとも一対の非カム車輪と、
を備え、
前記カム車輪は第１同心円に内接する二等辺三角形の頂角と底角とにそれぞれ配設され、
前記二等辺三角形の底辺における中点から前記頂角までを結ぶ中線と第１直径とを一致させ、
該第１直径に直交する第２直径を設定し、
前記非カム車輪は前記第２同心円と前記第２直径との交点に対をなして配設された、
ゴルフ練習用可変傾斜台。
【請求項２】
前記第１同心円は前記ターンテーブルの外周に近く、その内周側に前記第２同心円が設定され、
前記カム車輪は前記ターンテーブルの上面に配設された、
請求項１に記載のゴルフ練習用可変傾斜台。
【請求項３】
前記カム体は、台形の凸部と逆台形の凹部が前記第１同心円に沿って連続的かつ交互に形成されている、
請求項１又は２に記載のゴルフ練習用可変傾斜台。
【請求項４】
前記凸部と前記凹部とは、前記縦軸の直交方向から視認した輪郭の形状が上下対称である、
請求項３に記載のゴルフ練習用可変傾斜台。
【請求項５】
前記ターンテーブルは、前記モータから減速機構を介して回転力を付与され、
該減速機構は、前記縦軸を中心とする第３同心円上に刻設された従動歯車と、
該従動歯車に歯合する駆動歯車と、
該駆動歯車まで前記モータの動力を伝送する駆動軸と、
を少なくとも備えて構成された、
請求項１〜４の何れかに記載のゴルフ練習用可変傾斜台。
【請求項６】
前記上板の上面には、人工芝が貼着され、該人工芝には、格子目状の交点、千鳥状の交点、等間隔の同心円に放射状の交差線が交わる交点、の何れかの位置に複数のゴルフボールに対する転動防止凹部が設けられた、
請求項１〜５の何れかに記載のゴルフ練習用可変傾斜台。
【請求項７】
前記基台付近、又は前記上板の上面に前記モータのコントローラを配設し、ＡＣ１００Ｖ電源を得て前記モータの駆動を制御可能にした、
請求項１〜６の何れかに記載のゴルフ練習用可変傾斜台。
【手続補正２】
【補正対象書類名】明細書
【補正対象項目名】０００６
【補正方法】変更
【補正の内容】
【０００６】
本発明の一態様は、傾斜の方向と角度（θ）を自在に設定可能なゴルフ練習用可変傾斜台（１００）であって、
最下層の基台（１０）と、
該基台（１０）に設定された縦軸（Ｚ）と、
該縦軸（Ｚ）に揺動自在に係合して最上層をなす上板（３０）と、
前記縦軸（Ｚ）に対して回転自在であり前記上板（３０）と前記基台（１０）の間に介在して中層をなすターンテーブル（２０）と、
前記ターンテーブル（２０）に回転力を付与すると共に任意の回転位相（α）で停止可能なモータ（４９）と、
前記ターンテーブル（２０）の上面（２９）と前記上板（３０）の下面（３９）との間の隙間（Ｇ）を広狭自在に変動させるカム機構（９９）とを備え、
前記カム機構（９９）は、前記ターンテーブル（２０）の直径（Ｄ１）の一端（２１）で前記隙間（Ｇ）を広げると共に他端（２２）で前記隙間（Ｇ）を狭める関係に形成され、
前記カム機構（９９）は、
前記縦軸（Ｚ）を中心とする第１同心円（Ｅ）に沿って前記上板（３０）の下面（３９）に形成され、前記隙間（Ｇ）の広狭を変動させる形状のカム面（９１〜９３）を有するカム体（９０）と、
前記カム面（９１〜９３）を転動して隙間（Ｇ）を広狭自在に変動させるカム車輪（２４〜２６）と、
前記縦軸（Ｚ）を中心とする第２同心円（Ｆ）に沿って形成され、前記カム面（９１〜９３）以外の平面（３９）を転動する少なくとも一対の非カム車輪（２７，２８）とを備え、
前記カム車輪（２４〜２６）は第１同心円（Ｅ）に内接する二等辺三角形（Ｊ）の頂角（Ｋ）と底角（Ｌ，Ｍ）とにそれぞれ配設され、
前記二等辺三角形（Ｊ）の底辺（Ｎ）における中点（Ｍ）から前記頂角（Ｋ）までを結ぶ中線（Ｈ）と第１直径（Ｄ１）とを一致させ、
該第１直径（Ｄ１）に直交する第２直径（Ｄ２）を設定し、
前記非カム車輪（２７，２８）は前記第２同心円（Ｆ）と前記第２直径（Ｄ２）との交点に対をなして配設されたものである。
【手続補正３】
【補正対象書類名】明細書
【補正対象項目名】０００７
【補正方法】削除
【補正の内容】